(57)【要約】【課題】２種類の２次電池から選択して筐体内に収納可能とし、かつ通信機能の有無にかかわらず筐体や他の部材の共通化を可能にした誘導灯を提供する。【解決手段】筐体１の内部空間には、ランプ２と点灯ユニット４とを除く部位に、寸法の異なる２次電池３ａ，３ｂを収納可能な収納スペース５が形成される。また、筐体１の内部空間において、ランプ２と点灯ユニット４と収納スペース５とを除く部位には、外部装置との間でデータ通信が可能であって少なくとも２次電池３ａ，３ｂの交換を外部装置に通知する機能を有した通信ユニット６が収納可能になっている。【選択図】        図１
2005026015.tif 000002
【特許請求の範囲】
【請求項１】
光源としてのランプと、商用電源により充電される２次電池と、ランプの電源を通常時は商用電源から供給し停電時は２次電池から供給する点灯ユニットとを筐体内に備え、２次電池は寸法の異なる複数種類から選択して用いられ、筐体内であってランプと点灯ユニットとを除く部位に、２次電池のうちの最小容量の２次電池を収納可能な容積を有した第１の収納スペースと、２次電池のうちの最大容量の２次電池を収納可能な容積を有した第２の収納スペースとが連続して形成され、第２の収納スペースのうち第１の収納スペースと合わせた容積が２次電池のうちの最大容量の２次電池を収納可能な容積となる部位を除いた一部に、外部装置との間でデータ通信が可能であって少なくとも２次電池の交換を外部装置に通知する機能を有した通信ユニットを収納可能としたことを特徴とする誘導灯。
【請求項２】
光源としてのランプと、商用電源により充電される２次電池と、ランプの電源を通常時は商用電源から供給し停電時は２次電池から供給する点灯ユニットとを筐体内に備え、２次電池は寸法の異なる複数種類から選択して用いられ、筐体内であってランプと点灯ユニットとを除く部位に、２次電池のうちの最小容量の２次電池を収納可能な容積を有した第１の収納スペースと、２次電池のうちの最大容量の２次電池を収納可能な容積を有した第２の収納スペースとが連続して形成され、第１の収納スペースに、外部装置との間でデータ通信が可能であって少なくとも２次電池の交換を外部装置に通知する機能を有した通信ユニットを収納可能としたことを特徴とする誘導灯。
【請求項３】
前記点灯ユニットに前記２次電池を接続する電池接続部と、点灯ユニットに前記通信ユニットを接続する信号線接続部とを隣接させて点灯ユニットに設けたことを特徴とする請求項１または請求項２記載の誘導灯。
【請求項４】
前記筐体は前記外部装置に通信線を介して接続される通信用端子台を定位置に備え、前記通信ユニットと通信用端子台とを接続する器具内通信線と、前記電池接続部に前記２次電池を接続する電池線と、前記信号線接続部に前記通信ユニットを接続する信号線との合計長を小さくするように、通信ユニットと２次電池とが配置されることを特徴とする請求項３記載の誘導灯。
【請求項５】
前記通信ユニットは、２次電池の交換を前記外部装置に通知するように操作される電池交換スイッチを備えることを特徴とする請求項１ないし請求項４のいずれか１項に記載の誘導灯。
【請求項６】
前記通信ユニットは、前記外部装置との通信に用いるアドレスを設定するアドレス設定スイッチと、外殻となるユニットケースとを備え、ユニットケースにおいてアドレス設定スイッチの操作つまみの周部が他の部位よりも後退し、他の部位と操作スイッチの先端面とが同一面上に揃えられていることを特徴とする請求項１ないし請求項５のいずれか１項に記載の誘導灯。
【発明の詳細な説明】
【０００１】
【発明の属する技術分野】
本発明は、誘導灯に関するものである。
【０００２】
【従来の技術】
誘導灯は、通常時には商用電源から給電してランプを点灯させると同時に２次電池を充電し、停電時には２次電池から給電してランプを点灯させるように構成されている。したがって、停電時において誘導灯を正常に機能させるために、ランプの寿命や２次電池の健全性を定期的に点検する必要がある。ランプの寿命はランプの交換時からの点灯時間によって管理されることが多い。一方、２次電池の健全性を点検するには、例えば、各誘導灯ごとに商用電源を遮断するスイッチを操作し、スイッチにより商用電源を遮断してから所定時間が経過するまで２次電池の端子電圧が規定電圧以上に保たれているか否かを監視する。誘導灯には２次電池の端子電圧を監視する電圧監視回路が設けられており、２次電池の端子電圧が規定電圧以下になると発光ダイオードからなる表示灯が点滅するようになっている。したがって、スイッチにより商用電源を遮断してから所定時間が経過するまでに表示灯が点滅したときには２次電池を交換することになる。また、点検後にはスイッチを復帰させる操作が必要になる。
【０００３】
上述のように、２次電池の健全性の管理にはスイッチの操作が必要であって、点検作業員は各誘導灯の設置場所において所定時間待つことになるから、点検作業は手間のかかる負担の大きい作業になる。
【０００４】
このような問題を解決するために、リモコン端末による擬似停電指令を受けることができるように通信回路を筐体に内蔵した誘導灯が提案されている。この誘導灯は擬似停電指令を受けると、商用電源の停電状態と同様の状態を擬似的に実現するのである。また、誘導灯には、疑似停電指令を受けてから所定時間が経過した後の２次電池の端子電圧やランプの点灯状態を記憶する記憶装置が設けられ、記憶装置の記憶内容をリモコン端末で読み出すことが可能になっている（たとえば、特許文献１参照）。
【０００５】
また、誘導灯の筐体にネットワーク接続用の通信回路を内蔵しておき、ネットワークを介して誘導灯と通信可能な集中管理装置を設けて、集中管理装置において、誘導灯に点検の指示を与えたり、誘導灯の動作状態を監視したりすることも考えられている。とくに、防災システムでは種々の機器がネットワークを介して接続されているから、防災システムの構成要素としての誘導灯も他の機器とともに防災システムのネットワークに接続し、誘導灯の動作状態の監視や点検作業を集中管理装置において行うようにすれば利便性が高くなる。
【０００６】
【特許文献１】
特開２００３−９２０１３号公報（第００２６−００２７段落、図１、５）
【０００７】
【発明が解決しようとする課題】
ところで、防災システムのような大規模なシステムであって、多数台の誘導灯を管理する場合には、誘導灯の筐体に通信回路を内蔵することによって利便性が高まるが、誘導灯の台数が少ないような場合には、筐体に通信回路を内蔵した高価格の誘導灯を用いるよりも筐体に通信回路を内蔵していない低価格の誘導灯が選択されることも少なくない。したがって、筐体に通信回路を内蔵した誘導灯と、筐体に通信回路を内蔵していない誘導灯との両製品を用意するのが望ましいと言える。
【０００８】
ただし、両製品を個別に設計すると、筐体や筐体に内蔵する部材を個々の製品で設計することになるから、開発費用が大きくなる上に、部材の種類が多くなって部材の管理に手間がかかる。この種の問題は、部材を共用化することによって解決することができるが、部材の共通化（いわゆる、ＭＴ化）によって大型化したりコスト高になることは避けなければならない。
【０００９】
図６は誘導灯における代表的な部材の配置例であって、筐体１の上部に直管形蛍光ランプのようなランプ２を収納するとともに、重量の大きい２次電池３ａを筐体１の下部に収納し、さらにランプ２を点灯させる点灯回路を回路基板に実装した点灯ユニット４を筐体１の上下方向の中間部に配置してある。筐体１の上下方向においてランプ２と点灯ユニット４との間には、商用電源を接続するための電源端子台１１や接地用の端子ねじ１２が配置され、この部位には筐体１を壁面のような施工面に取り付けるための取付金具１０も設けられる。誘導灯には通常容量の２次電池３ａを用いるもののほか、大容量の２次電池を用いるものも必要であって、両者で部材の共通化が可能となるように、図７に示す構成が考えられている。つまり、一般に通常容量の２次電池３ａに比較して大容量の２次電池３ｂは体積が大きいから、筐体１内に各２次電池３ａ，３ｂに対応する収納スペース５ａ，５ｂを夫々設けているのであって、通常容量の２次電池３ａを収納する収納スペース５ａを筐体１の下部に設け、大容量の２次電池３ｂを収納する収納スペース５ｂを筐体１の側部に設けてある。このように筐体１内に収納スペース５ａ，５ｂを形成した誘導灯では、通常容量の２次電池３ａと大容量の２次電池３ｂとを選択して収納することができる。
【００１０】
ここで、両収納スペース５ａ，５ｂは連続してＬ字状に形成されており、一方の収納スペース５ａ，５ｂに２次電池３ａ，３ｂが収納されているときには、他方の収納スペース５ａ，５ｂは利用されていないから、いずれかの収納スペース５ａ，５ｂに通信回路を収納すれば、筐体１の寸法や他の部材の配置を変更することなく通信回路を備える誘導灯と通信回路を備えていない誘導灯とで部材の共通化が可能になると考えられる。しかしながら、一方の収納スペース５ａ，５ｂに通信回路を収納すると、容量の異なる２種類の２次電池３ａ，３ｂを使用することができなくなるという問題が生じる。
【００１１】
本発明は上記事由に鑑みて為されたものであり、その目的は、寸法の異なる２種類の２次電池から選択して筐体内に収納可能とし、しかも通信機能の有無にかかわらず筐体や他の部材を共通化することを可能とし、結果的に開発費用の増加を抑制し、かつ部材の管理を容易にした誘導灯を提供することにある。
【００１２】
【課題を解決するための手段】
請求項１の発明は、光源としてのランプと、商用電源により充電される２次電池と、ランプの電源を通常時は商用電源から供給し停電時は２次電池から供給する点灯ユニットとを筐体内に備え、２次電池は寸法の異なる複数種類から選択して用いられ、筐体内であってランプと点灯ユニットとを除く部位に、２次電池のうちの最小容量の２次電池を収納可能な容積を有した第１の収納スペースと、２次電池のうちの最大容量の２次電池を収納可能な容積を有した第２の収納スペースとが連続して形成され、第２の収納スペースのうち第１の収納スペースと合わせた容積が２次電池のうちの最大容量の２次電池を収納可能な容積となる部位を除いた一部に、外部装置との間でデータ通信が可能であって少なくとも２次電池の交換を外部装置に通知する機能を有した通信ユニットを収納可能としたことを特徴とする。
【００１３】
この構成によれば、第１の収納スペースと第２の収納スペースの一部とを用いて、寸法の異なる２種類の２次電池から選択して筐体内に収納することができる。しかも、通信ユニットを設けるか否かにかかわらず、筐体や他の部材を共通化することができるから、通信ユニットを備える誘導灯と通信ユニットを持たない誘導灯とについて、通信ユニット以外の部材を共通に用いることができ、結果的に開発費用の増加を抑制することができる上に、部材の管理も容易になる。
【００１４】
請求項２の発明は、光源としてのランプと、商用電源により充電される２次電池と、ランプの電源を通常時は商用電源から供給し停電時は２次電池から供給する点灯ユニットとを筐体内に備え、２次電池は寸法の異なる複数種類から選択して用いられ、筐体内であってランプと点灯ユニットとを除く部位に、２次電池のうちの最小容量の２次電池を収納可能な容積を有した第１の収納スペースと、２次電池のうちの最大容量の２次電池を収納可能な容積を有した第２の収納スペースとが連続して形成され、第１の収納スペースに、外部装置との間でデータ通信が可能であって少なくとも２次電池の交換を外部装置に通知する機能を有した通信ユニットを収納可能としたことを特徴とする。
【００１５】
この構成によれば、第２の収納スペースを用いて寸法の異なる２種類の２次電池から選択して筐体内に収納することができる。しかも、通信ユニットを設けるか否かにかかわらず、筐体や他の部材を共通化することができるから、通信ユニットを備える誘導灯と通信ユニットを持たない誘導灯とについて、通信ユニット以外の部材を共通に用いることができ、結果的に開発費用の増加を抑制することができる上に、部材の管理も容易になる。
【００１６】
請求項３の発明は、請求項１または請求項２の発明において、前記点灯ユニットに前記２次電池を接続する電池接続部と、点灯ユニットに前記通信ユニットを接続する信号線接続部とを隣接させて点灯ユニットに設けたことを特徴とする。
【００１７】
通信ユニットの有無にかかわらず電池接続部は存在しているから、請求項３の構成を採用するとともに通信ユニットを付加する場合の信号線接続部と電池接続部とを合わせたスペースが、元々存在している電池接続部のスペースと同程度になるように設計すれば、点灯ユニットにおいて信号線接続部に接続される信号線を引き出す部位を電池線を引き出す部位とは別に設ける必要がなく、既製の点灯ユニットに対する設計変更を少なくすることができる。
【００１８】
請求項４の発明は、請求項３の発明において、前記筐体が前記外部装置に通信線を介して接続される通信用端子台を定位置に備え、前記通信ユニットと通信用端子台とを接続する器具内通信線と、前記電池接続部に前記２次電池を接続する電池線と、前記信号線接続部に前記通信ユニットを接続する信号線との合計長を小さくするように、通信ユニットと２次電池とが配置されることを特徴とする。
【００１９】
この構成によれば、器具内通信線と電池線と信号線との合計長を短くするから、配線の引き回しが比較的容易になって組立作業の作業性が向上するとともに、配線のための材料が少なくなってコストの低減が可能になる。
【００２０】
請求項５の発明は、請求項１ないし請求項４の発明において、前記通信ユニットが、２次電池の交換を前記外部装置に通知するように操作される電池交換スイッチを備えることを特徴とする。
【００２１】
この構成によれば、２次電池の交換時を外部装置に通知することができるから、外部装置において２次電池の交換時期を管理することが可能になる。
【００２２】
請求項６の発明は、請求項１ないし請求項５の発明において、前記通信ユニットが、前記外部装置との通信に用いるアドレスを設定するアドレス設定スイッチと、外殻となるユニットケースとを備え、ユニットケースにおいてアドレス設定スイッチの操作つまみの周部が他の部位よりも後退し、他の部位と操作スイッチの先端面とが同一面上に揃えられていることを特徴とする。
【００２３】
この構成によれば、アドレス設定スイッチに不用意に触れてもアドレスが変更されることがなく誤操作の可能性が低減される。ただし、操作つまみの周部は他の部位よりも後退しているから、意図的に操作つまみを操作することは可能であり、必要に応じてアドレス設定スイッチを比較的容易に操作することができる。
【００２４】
【発明の実施の形態】
（実施形態１）
本実施形態は、図１に示すように、基本的な構成は図６に示した従来構成と同様であって、図１に示す筐体１の上部にランプ２を収納するとともに、筐体１の下部に通常容量の２次電池３ａを収納し、筐体１の上下方向の中間部に点灯回路を備える点灯ユニット４を収納してある。つまり、筐体１の内部空間において点灯ユニット４の下方に２次電池３ａを収納する収納スペース５を形成している。図１の左右方向において、通常容量の２次電池３ａの寸法は筐体１の幅寸法よりも小さく、筐体１の内部空間において２次電池３ａの左側方には空きスペースが形成される。つまり、収納スペース５の左右方向の寸法は、通常容量の２次電池３ａの左右方向の寸法よりも大きく形成される。
【００２５】
図１における筐体１の上下方向においてランプ２と点灯ユニット４との間には、商用電源を接続するための電源端子台１１と、接地用の端子ねじ１２と、後述する通信ユニット６を接続する通信用端子台１３とが配置される。電源端子台１１は図１における左端部に配置され、通信用端子台１３は図１における右端部に配置される。また、筐体１の上下方向においてランプ２と点灯ユニット４との間の部位に対応する筐体１の外側面（背面）には、筐体１を壁面のような施工面に取り付けるための取付金具１０が設けられる。
【００２６】
ところで、本実施形態では、ネットワーク接続用の通信回路を実装した回路基板を備える通信ユニット６を収納する収納スペース７を、筐体１内において点灯ユニット４の左側方に設けている。すなわち、図６に示した従来構成において大容量の２次電池３ｂを収納するために設けた収納スペース５ｂの上部を通信ユニット６の収納スペース７として用いている。収納スペース５ｂの下部は、上述した収納スペース５の一部になる。言い換えると、本実施形態では、図６に示した従来構成において全体としてＬ字状に形成されていた収納スペース５ａ，５ｂの区分を変更し、点灯ユニット４の左側方部分を通信ユニット６を収納可能な収納スペース７として用い、筐体１の下部における残りの部分を２次電池３ａを収納する収納スペース５として用いるのである。言い換えると、収納スペース５ｂのうち、収納スペース５ａと合わせた容積が大容量の２次電池３ｂを収納可能な容積となる部位を除いた一部を、通信ユニット６を収納可能な収納スペース７として用いるのである。
【００２７】
上述したように、筐体１の左右方向における収納スペース５の寸法は、通常容量の２次電池３ａの寸法よりも大きいから、収納スペース５には通常容量の２次電池３ａよりも左右寸法の大きい大容量の２次電池３ｂを収納することが可能であって、大容量の２次電池３ｂの形状を収納スペース５に合わせて形成することにより、通常容量の２次電池３ａと大容量の２次電池３ｂとを選択して筐体１に収納することが可能になる。要するに、大容量の２次電池３ｂを収納可能な容積を収納スペース５として確保するのである。したがって、図６に示した従来構成に対して、大容量の２次電池３ｂの形状を変更するだけで通信ユニット６を収納する収納スペース７を確保することが可能になり、部材の共通化が可能になる。
【００２８】
以下、個々の部材についてさらに詳しく説明する。
【００２９】
点灯ユニット４は、電源端子台１１に接続された器具内電源線Ｌ１が接続される電源接続部２１と、ランプ２にランプ線Ｌ２を介して接続されるランプ接続部２２と、２次電池３ａ，３ｂを接続するための電池線Ｌ３が接続される電池接続部２３と、後述する表示操作部１４が入出力線Ｌ４を介して接続される表示操作接続部２４と、通信ユニット６が信号線Ｌ５を介して接続される信号線接続部２５とを接続部として備える。電池線Ｌ３は中間部にコネクタ２６ａ，２６ｂを備え、電池接続部２３に接続されたコネクタ２６ａと、２次電池３ａ，３ｂに接続されたコネクタ２６ｂとが着脱可能になっている。つまり、コネクタ２６ａ，２６ｂの着脱により２次電池３ａ，３ｂを交換可能になっている。
【００３０】
点灯ユニット４には、押操作されるランプ交換スイッチＳＷ１も設けられる。点灯ユニット４はランプ２の通算の点灯時間を計時するタイマを備えており、ランプ交換スイッチＳＷ１は、ランプ２の交換時にタイマをリセットするために設けられている。ランプ２の通算の点灯時間をタイマにより計時しているのは、通算の点灯時間によってランプ２の寿命の管理を行うとともに、ランプ２の光出力が時間とともに低下するのを防止するために通算の点灯時間に合わせてランプ２に供給する電力を調節するためである。電源接続部２１には器具内接地線Ｌ６を介して端子ねじ１２も接続される。
【００３１】
点灯ユニット４に入出力線Ｌ４を介して接続された表示操作部１４は、発光ダイオードからなる表示灯と、押釦スイッチからなるテストスイッチとを備え、表示灯およびテストスイッチを筐体１の下面に位置させている。表示操作部１４は、例えばランプ２の寿命や２次電池３ａ，３ｂの健全性を点検するために用いられ、テストスイッチを押操作すると擬似的な停電状態となって２次電池３ａ，３ｂからランプ２に電力が供給される状態になり、２次電池３ａ，３ｂの端子電圧が所定時間内に規定電圧を下回ると表示灯が点滅するようになっている。疑似的な停電状態は所定時間（たとえば、２０分）が経過すると自動的に解除されるようにするのが望ましい。
【００３２】
通信ユニット６は、器具内通信線Ｌ７を介して通信用端子台１３に接続される。通信用端子台１３は集中管理装置などの外部装置（上位システム）との間の通信線であるネットワーク線に接続される。通信ユニット６には、上述のように、点灯ユニット４が信号線Ｌ５を介して接続されており、点灯ユニット４の動作状態が信号線Ｌ５を介して通信ユニット６に入力され、また通信ユニット６から点灯ユニット４に対して動作内容の指示を与えることも可能になっている。例えば、表示操作部１４におけるテストスイッチの操作と表示灯の表示状態とに相当する信号を、点灯ユニット４と通信ユニット６との間で伝送することができる。あるいはまた、ランプ交換スイッチＳＷ１が押操作されたときに、タイマのリセットとともに通信ユニット６にもランプ２の交換が通知される。つまり、上位システムには通信ユニット６に設定されたアドレスとともにランプ２の交換が通知されるから、ランプ２の交換の履歴を人手によって記録する必要がなく、上位システムにランプ２の交換の履歴を自動的に残すことが可能になる。その他、必要に応じて通信ユニット６から点灯ユニット４に指令を与えることで、点灯ユニット４の動作に関する各種情報（ランプ電圧、ランプ電流など）を通信ユニット６で受け取ることができるようになっている。通信ユニット６は、上位システムとの間で情報の中継を行い、上位システムからの指令を点灯ユニット４に与え、点灯ユニット４からの各種情報を上位システムに転送する。
【００３３】
通信ユニット６が上位システムとの間でデータ通信を行うために、通信ユニット６にはアドレスが必要であって、通信ユニット６のアドレスは２個のロータリスイッチからなるアドレス設定スイッチＳＷ２により設定可能になっている。通信ユニット６には２次電池３ａ，３ｂの交換を上位システムに通知する際に押操作される電池交換スイッチＳＷ３も設けられている。このように２次電池３ａ，３ｂの交換時点を上位システムに通知することによって、上位システムでは２次電池３ａ，３ｂの交換時期の管理などが可能になる。つまり、ランプ交換スイッチＳＷ１と同様に、電池交換スイッチＳＷ３の操作によって、上位システムには２次電池３ａ，３ｂの交換がアドレスとともに通知されるから、電池３ａ，３ｂの交換の履歴を人手によって記録する必要がなく、上位システムに電池３ａ，３ｂの交換の履歴を自動的に残すことが可能になる。
【００３４】
（実施形態２）
実施形態１の構成では、器具内通信線Ｌ７の配置についてとくに考慮していなかったが、器具内電源線Ｌ１と器具内通信線Ｌ７とを交差させると、互いに他方への悪影響を与えることがある。例えば、上位システムとの間の通信仕様として、ＲＳ４８５規格のように差動式の信号を用いると２線に同相で印加されるノイズに強くなるものの、通信周波数帯域のノイズを電源側に与える可能性がある。つまり、器具内通信線Ｌ７が器具内電源線Ｌ１と交差していると器具内通信線Ｌ７を通過する信号が器具内電源線Ｌ１を通して供給される電源にノイズとして混入し、このノイズが外部に漏れる可能性がある。
【００３５】
この種の問題を回避するために、本実施形態では、図２に示すように、筐体１内において器具内通信線Ｌ７を器具内電源線Ｌ１に対してできるだけ遠い部位に配置されるように引き回している。図示するように、器具内通信線Ｌ７は点灯ユニット４に重ならないように点灯ユニット４の周囲に配置することが望ましい。また、器具内通信線Ｌ７を図のように引き回すために、通信ユニット６において器具内通信線Ｌ７を接続する部位を、電源端子台１１から遠い位置、すなわち通信ユニット６の下部に位置させてあり、このことによっても相互の影響が軽減される。
【００３６】
上述した構成によって、器具内通信線Ｌ７は器具内電源線Ｌ１に交差せず、相互の影響を軽減することができる。なお、器具内通信線Ｌ７としてツイストペア線を用いれば、器具内通信線Ｌ７に混入するノイズの影響を低減することができ、また器具内通信線Ｌ７から電源線Ｌ１へのノイズの混入も抑制することができる。他の構成および動作は実施形態１と同様である。
【００３７】
（実施形態３）
本実施形態は、図３に示すように、点灯ユニット４において、電池接続部２３と表示操作接続部２４と信号線接続部２５とを１箇所に接続部２７としてまとめたものである。つまり、通信ユニット６を接続するための信号線接続部２５を、電池接続部２３および表示操作接続部２４と同じ場所に設けているのである。この構成を採用することによって、点灯ユニット２をケース内に収納している場合に、従来構成に対して信号線Ｌ５をケースから引き出すための別途の開口部を形成する必要がなく、従来構成と同じ形のケースを用いることができる。つまり、ケースを作製するための金型を新たに起こす必要がなく、開発費用の増加を抑制することができる。ここに、接続部２７として１個のコネクタを用いれば、組立時において点灯ユニット４に対する誤結線の可能性が低減される。他の構成および機能は実施形態２と同様である。
【００３８】
（実施形態４）
実施形態３では、図６に示した従来構成における収納スペース５ａ，５ｂのうち大容量の２次電池３ｂを収納する収納スペース５ｂの一部を、通信ユニット６を収納するための収納スペース７に用いたが、本実施形態は、図４に示すように、通常容量の２次電池３ａを収納する収納スペース５ａを、通信ユニット６を収納するための収納スペース７に用いている。
【００３９】
通信ユニット６を収納スペース５ａに配置しているのは、実施形態３のように電池接続部２３と表示操作接続部２４と信号線接続部２５とを１箇所にまとめた接続部２７を設けた場合に、通信ユニット６に接続された信号線Ｌ５および器具内通信線Ｌ７が長くなるからであって、本実施形態の構成を採用することによって、信号線Ｌ５および器具内通信線Ｌ７が実施形態３に比較して短くなる。つまり、電池線Ｌ３と信号線Ｌ５と器具内通信線Ｌ７との合計長を短くすることができる。このことによって、信号線Ｌ５および器具内通信線Ｌ７に要するコストを実施形態３の構成よりも低減することができ、しかも信号線Ｌ５や器具内通信線Ｌ７が他の部材に引掛かったり互いに絡まったりする可能性が低減される。
【００４０】
また、大容量の２次電池３ｂを収納する収納スペース５ｂを、通常容量の２次電池３ａを収納する収納スペースとしても兼用しているから、従来構成と同形状の２次電池３ｂを用いることができる。このことによって開発費用の増加が抑制される。他の構成および機能は実施形態３と同様である。
【００４１】
ところで、通信ユニット６は図５に示すように外殻としてのユニットケース３１を備え、ユニットケース３１の一面に、アドレス設定スイッチＳＷ２の操作つまみ３２および電池交換スイッチＳＷ３の押釦３３が露出する。ここに、アドレス設定スイッチＳＷ２の操作つまみ３２の誤操作の可能性を低減するために、ユニットケース３１において、アドレス設定スイッチＳＷ２の操作つまみ３２が突出する面には段差部３４が形成され、操作つまみ３２の周部を他の部位よりも後退させている。つまり、電池交換スイッチＳＷ３の押釦３３が露出する面よりも操作つまみ３２の突出する面が後退し、かつ押釦３３を設けた面と操作つまみ３２の先端面とが略同一面に揃えられている。また図４に示すように、筐体１内においてユニットケース３１の段差部３４に点灯ユニット４のケースが対向している。これらの構成によって、操作つまみ３２がつまみにくくなっているから、アドレス設定スイッチＳＷ２が不用意に操作されにくくなる。ただし、アドレス設定スイッチＳＷ２はアドレスの設定時に操作する必要があるから、意識して操作する場合には比較的容易に操作することができるように、操作つまみ３２と段差部３４との距離が適宜に設定される。他の構成および機能は実施形態３と同様である。本実施形態の技術思想は実施形態３の構成だけではなく、他の実施形態にも適用することが可能であって、アドレス設定スイッチＳＷ２の周部が後退し、操作つまみ３２が指で回しにくくなる形状であれば、図示した構成例以外の形状を採用することも可能である。
【００４２】
なお、上述した各実施形態では、２種類の２次電池３ａ，３ｂから選択する構成を採用しているが、３種類以上の２次電池から選択する構成としてもよい。この場合、通常容量の２次電池３ａを最小容量（最小体積）の２次電池と読み替え、大容量の２次電池３ｂを最大容量（最大体積）の２次電池と読み替えればよい。
【００４３】
【発明の効果】
本発明の構成によれば、第１の収納スペースと第２の収納スペースの一部とを用いて、寸法の異なる２種類の２次電池から選択して筐体内に収納するか、あるいは第２の収納スペースを用いて寸法の異なる２種類の２次電池から選択して筐体内に収納することができる。しかも、通信ユニットを設けるか否かにかかわらず、筐体や他の部材を共通化することができるから、通信ユニットを備える誘導灯と通信ユニットを持たない誘導灯とについて、通信ユニット以外の部材を共通に用いることができ、結果的に開発費用の増加を抑制することができる上に、部材の管理も容易になるという利点がある。
【図面の簡単な説明】
【図１】実施形態１を示す概略構成図である。
【図２】実施形態２を示す概略構成図である。
【図３】実施形態３を示す概略構成図である。
【図４】実施形態４を示す概略構成図である。
【図５】同上に用いる通信ユニットを示す斜視図である。
【図６】従来例を示す概略構成図である。
【図７】従来例を示す概略構成図である。
【符号の説明】
１  筐体
２  ランプ
３ａ，３ｂ  ２次電池
４  点灯ユニット
５  収納スペース
５ａ，５ｂ  収納スペース
６  通信ユニット
７  収納スペース
１３  通信用端子台
２３  電池接続部
２５  信号線接続部
３１  ユニットケース
３２  操作つまみ
Ｌ３  電池線
Ｌ５  信号線
Ｌ７  器具内通信線
ＳＷ２  アドレス設定スイッチ
ＳＷ３  電池交換スイッチ
【図１】
2005026015.tif 000003
【図２】
2005026015.tif 000004
【図３】
2005026015.tif 000005
【図４】
2005026015.tif 000006
【図５】
2005026015.tif 000007
【図６】
2005026015.tif 000008
【図７】
2005026015.tif 000009